【事件の表示】
　特願２０１６−５５２７０９「ＣアームＸ線環境において、画像を最小限にしか遮蔽せず、寸法上最小限にしか影響を及ぼさない磁場発生器」拒絶査定不服審判事件〔平成２７年　５月１４日国際公開、ＷＯ２０１５／０６８０６９、平成２８年１１月１７日国内公表、特表２０１６−５３５６５８〕について、次のとおり審決する。
【結　論】
　本件審判の請求は、成り立たない。
【理　由】
第１　手続の経緯
　本願は、２０１４年（平成２６年）１０月２１日（パリ条約による優先権主張　２０１３年１１月６日　米国）を国際出願日とする出願であって、平成２９年５月２６日付けで拒絶理由が通知され、同年９月５日付けで意見書及び手続補正書が提出され、平成３０年２月１日付けで拒絶査定されたところ、同年６月５日に拒絶査定不服審判の請求がなされ、同時に手続補正がなされたものである。
第２　平成３０年６月５日にされた手続補正についての補正の却下の決定
［補正の却下の決定の結論］
　平成３０年６月５日にされた手続補正（以下、「本件補正」という。）を却下する。
 [理由]
１　本件補正について（補正の内容） 
  
（１）本件補正後の特許請求の範囲の記載
　本件補正により、特許請求の範囲の請求項１の記載は、次のとおり補正された。（下線部は、補正箇所である。） 
  
「身体を支持するテーブルに装着できるように構成された磁場発生器アセンブリであって、
　第１の平面内に配置された複数の細長い導電性要素であって、各導電性要素が、前記第１の平面に対して垂直に延在する中心軸の周りに、前記中心軸から前記導電性要素の外周まで連続して増加する距離で巻かれている、複数の細長い導電性要素
を備え、
　前記複数の導電性要素が前記アセンブリの第１の層を形成し、
　前記第１の層が前記第１の平面内に存在し、
　前記複数の導電性要素は、さらに、前記アセンブリの第２の層を備え、前記第２の層は、第２の平面内に存在し、前記第１の層は、前記第２の層の上に積層されて
おり、
　前記複数の導電性要素のそれぞれが備える前記第１の層及び前記第２の層は、単一の導電線が巻かれて前記第１の層が前記第２の層の上に積層されるように形成されている、
（２）本件補正前の特許請求の範囲の記載
　本件補正前の、平成２９年９月５日にされた手続補正により補正された特許請求の範囲の請求項１の記載は、次のとおりである。
「身体を支持するテーブルに装着できるように構成された磁場発生器アセンブリであって、
　第１の平面内に配置された複数の細長い導電性要素であって、各導電性要素が、前記第１の平面に対して垂直に延在する中心軸の周りに、前記中心軸から前記導電性要素の外周まで連続して増加する距離で巻かれている、複数の細長い導電性要素
を備え、
　前記複数の導電性要素が前記アセンブリの第１の層を形成し、
　前記第１の層が前記第１の平面内に存在し、
　前記複数の導電性要素は、さらに、前記アセンブリの第２の層を備え、前記第２の層は、第２の平面内に存在し、前記第１の層は、前記第２の層の上に積層されている、
アセンブリ。」
２　補正の適否 
　本件補正は、本件補正前の請求項１に記載した発明を特定するために必要な事項である「第１の層」と「第２の層」との関係について、「前記複数の導電性要素のそれぞれが備える前記第１の層及び前記第２の層は、単一の導電線が巻かれて前記第１の層が前記第２の層の上に積層されるように形成されている、」との限定を加えるものであって、補正前の請求項１に記載された発明と補正後の請求項１に記載される発明の産業上の利用分野及び解決しようとする課題が同一であるから、特許法第１７条の２第５項第２号の特許請求の範囲の減縮を目的とするものに該当する。
　そこで、本件補正後の請求項１に記載された発明（以下、「本件補正発明」という。）が同条第６項において準用する同法第１２６条第７項の規定に適合するか（特許出願の際独立して特許を受けることができるものであるか）について、以下、検討する。
（１）本件補正発明
　本件補正発明は、上記１（１）に記載したとおりのものである。
（２）引用文献
ア　引用文献１
（ア）引用文献１の記載事項
　原査定の拒絶の理由に引用された、本願の優先日前に頒布された刊行物である米国特許出願公開第２０１０／０３０５４２７号明細書（以下「引用文献１」という。）には、図面とともに、次の事項が記載されている。（下線は、当審において付した。以下同じ。）
（引１ア）
「[0024]　Referring now to the drawings,  FIG. 1 illustrates a schematic diagram of an exemplary embodiment of a surgical navigation system 10 . The surgical navigation system 10 includes at least one magnetoresistance sensor 12 attached to at least one device 14 , at least one magnetoresistance reference sensor 16 rigidly attached to an anatomical reference of a patient 18 undergoing a medical procedure, a planar sensor array 24 positioned on a table 26 supporting the patient 18 , and a portable workstation 28 .」
（当審訳）
「[００２４]　ここで図面を参照すると、図１は、手術ナビゲーションシステム１０の実施形態の概略図を示す。
手術ナビゲーションシステム１０は、
患者１８を支持するテーブル２６上に配置された平面状センサアレイ２４
を含む。
（引１イ）
「[0044]　FIG. 3 illustrates a top view of an exemplary embodiment of a planar sensor array 60 . The planar sensor array 60 may be implemented as the planar sensor array 24 shown in FIG. 1 . The planar sensor array 60 may be an electromagnetic planar transmitter or receiver coil array. It is well known by the electromagnetic principle of reciprocity, that a description of a coil's properties as a transmitter may also be used to understand the coil's properties as a receiver. Therefore, the planar sensor array 60 may be used as a transmitter or a receiver.
[0045]　The planar sensor array 60 includes a plurality of planar sensor coils 62 formed on or within at least one substrate 64 and arranged in a specific configuration to eliminate dead zones. The plurality of planar sensor coils 62 may be made of a conductive material forming a plurality of conductor traces 66 with spaces 68 in-between. The at least one substrate 64 may be made of an insulating material that is rigid or flexible. In an exemplary embodiment, the planar sensor array 60 includes at least two layers 70 , 72 of a plurality of planar sensor coils 62 formed on or within at least one substrate 64 . A first layer 70 of a plurality of planar sensor coils 62 is arranged on or within a first layer 74 of the at least one substrate 64 . A second layer 72 of a plurality of planar sensor coils 62 is arranged on or within a second layer 76 of the at least one substrate 64 . The second layer 72 of the plurality of planar sensor coils 62 is positioned above the first layer 70 of the plurality of planar sensor coils 62 , and overlaps a center portion 78 of the first layer 70 of the plurality of planar sensor coils 62 .
[0046]　In the exemplary embodiment shown in FIG. 3 , the planar sensor array 60 includes the first layer 70 of at least six rectangular-shaped spiral coils 62 , arranged on or within the first layer 74 of the at least one substrate 64 in a 3×2 pattern, and the second layer 72 of at least two rectangular-shaped spiral coils 62 arranged on or within the second layer 76 of the at least one substrate 64 .」
（当審訳）
「[００４４]　図３は、平面状センサアレイ６０の実施形態の上面図を示している。
平面状センサアレイ６０は、図１に示した平面状センサアレイ２４として実装されてもよい。平面状センサアレイ６０は、平面状電磁トランスミッターコイルアレイ
であってもよい。
[００４５]　
平面状センサアレイ６０は、
１つの基板６４の
中に形成された
複数の平面状センサコイル６２を含む。複数の平面状センサコイル６２は、間にスペース６８をもつ複数の導体トレース６６を形成する導電材料で作られてもよい。
平面状センサアレイ６０は、
１つの基板６４の
中に形成された複数の平面状センサコイル６２の
２つの層７０、７２を含む。複数の平面状センサコイル６２の第１層７０は、
１つの基板６４の第１層７４の
中に配置されている。複数の平面状センサコイル６２の第２層７２は、
１つの基板６４の第２層７６
中に配置されている。複数の平面状センサコイル６２の第２層７２は、複数の平面状センサコイル６２の第１層７０の上に配置され
[００４６]　図３に示した実施形態では、
平面状センサアレイ６０は、
１つの基板６４の第１層７４の
中に３×２のパターンで配置された
６個の矩形状のスパイラルコイル６２の第１層７０と、
１つの基板６４の第２層７６の
中に配置された
２つ矩形状のスパイラルコイル６２の第２層７２とを含む。
（引１ウ）ＦＩＧ．１には、以下の図面が示されている。
（引１エ）ＦＩＧ．３には、以下の図面が示されている。
（引１オ）ＦＩＧ．４には、以下の図面が示されている。
（イ）引用文献１に記載された発明
　上記（引１イ）の[００４４]に「平面状センサアレイ６０は、図１に示した平面状センサアレイ２４として実装されてもよい。」と記載されていることを含め、上記（ア）の記載事項及び図面を総合すると、引用文献１には、次の発明（以下、「引用発明」という。）が記載されていると認められる。
「手術ナビゲーションシステム１０に含まれる、患者１８を支持するテーブル２６上に配置された平面状センサアレイ６０であって、
　平面状センサアレイ６０は、平面状電磁トランスミッターコイルアレイであり、
　平面状センサアレイ６０は、１つの基板６４の中に形成された複数の平面状センサコイル６２を含み、複数の平面状センサコイル６２は、間にスペース６８をもつ複数の導体トレース６６を形成する導電材料で作られており、
　平面状センサアレイ６０は、１つの基板６４の中に形成された複数の平面状センサコイル６２の２つの層７０、７２を含み、複数の平面状センサコイル６２の第１層７０は、１つの基板６４の第１層７４の中に配置され、複数の平面状センサコイル６２の第２層７２は、１つの基板６４の第２層７６の中に配置され、複数の平面状センサコイル６２の第２層７２は、複数の平面状センサコイル６２の第１層７０の上に配置されており、
　平面状センサアレイ６０は、１つの基板６４の第１層７４の中に３×２のパターンで配置された６個の矩形状のスパイラルコイル６２の第１層７０と、１つの基板６４の第２層７６の中に配置された２つ矩形状のスパイラルコイル６２の第２層７２とを含む、
　平面状センサアレイ６０。」
イ　引用文献２
（ア）引用文献２の記載事項
　原査定の拒絶の理由に引用された、本願の優先日前に頒布された刊行物である米国特許出願公開第２００３／０２３３０４２号明細書（以下「引用文献２」という。）には、図面とともに、次の事項が記載されている。 
  
（引２ア） 
「[0001] The present invention relates to a spiral magnetic transmitter for position measurement system.」
（当審訳）
「［０００１］　本発明は、
位置測定システムのためのスパイラル磁気トランスミッター
「[0032]　With reference now to FIG. 3, a first embodiment of antenna in accordance with the teachings of the present invention is generally designated by the reference numeral 10 and is seen to include a substrate 11 that may comprise a PC board, and a transmitter generally designated by the reference numeral 13 including a spiral shape 15 mounted on the top surface 14 of the PC board, and a corresponding spiral shape 17 shown in phantom mounted on the bottom surface of the PC board. The shapes 15 and 17 are connected by a feed through 19 at the center thereof.」
（当審訳）
「［００３２］　図３をいま参照すると、本発明の教示に従った第１の実施形態のアンテナは、参照番号１０によって概示され、そして、ＰＣ基板を含む基板１１、及び、
ＰＣ基板の上面１４に取り付けられたスパイラル形状１５
ＰＣ基板の下面に取付けられた対応するスパイラル形状１７とを含む
スパイラル形状１５及び１７は、それぞれの中心でフィードスルー（貫通接続）１９によって接続されている
（引２イ）
「 [0033]　With reference to FIGS. 4 - 6 , a second embodiment of transmitter is generally designated by the reference numeral 20 and is seen to include three spiral transmitter coils 21, 23 and 25 associated with one another in overlapping configuration as shown in  FIG. 4 . 
 [0034]　As seen in FIG. 5 , the transmitter 20 may be mounted on a substrate 27  such as, for example, a PC board. If desired, in keeping with the teachings of  FIG. 3 , each of the spiral coils 21, 23 and 25 may also be coupled to an additional coil mounted beneath the substrate 27 and electrically connected to each respective one of the coils 21, 23 or 25 by respective feed throughs (not shown). 
 [0035]　 FIG. 6 shows a top view of the configuration shown in FIG. 5 . 」
（当審訳）
「［００３３］　図４−６を参照すると、第２の実施形態のトランスミッターは、参照番号２０によって概示され、そして、図４に示されるように、互いにオーバーラップした構成で関連付けられた３個のスパイラルトランスミッターコイル２１、２３、２５を含むことが示されている。
［００３４］　図５に示されるように、トランスミッター２０は、例えば、ＰＣ基板のような基板２７に取り付けられてもよい。必要に応じて、図３の教示するを踏まえて、各スパイラルコイル２１、２３、２５は、基板２７の下に取り付けられた補助コイルに結合され、各コイル２１、２３、２５のそれぞれ一つに、それぞれのフィードスルーによって電気的に接続されてもよい(図示せず)。
［００３５］　図６は、図５に示された構成の上面図を示している。
（引２ウ）
「[0036]  In one preferred configuration, the transmitters 10, 21, 23 and 25 may be constructed of a radius of 5 inches each consisting of two layers of conductor with 67 turns per layer and a pitch of 0.075 inches. Such a transmitter has an inductive of about 1.53 mH and a DC resistance of approximately 5.2 Ohms. 」
（当審訳）
「［００３６］　１つの好ましい構成では、
トランスミッター１０
は、各層６７回転、０．０７５インチのピッチをもつ導体の２層からなる、各５インチの半径で構成されて
（引２エ）ＦＩＧ．３には、以下の図面が示されている。
（引２オ）ＦＩＧ．４には、以下の図面が示されている。
（引２カ）ＦＩＧ．５には、以下の図面が示されている。
（イ）引用文献２に記載された技術的事項
　上記（ア）の記載事項及び図面を総合すると、引用文献２には、次の技術的事項（以下、「引用文献２の技術的事項」という。）が記載されていると認められる。
「位置測定システムのためのスパイラル磁気トランスミッターであって、
　ＰＣ基板の上面１４に取り付けられたスパイラル形状１５とＰＣ基板の下面に取付けられた対応するスパイラル形状１７とを含み、スパイラル形状１５及び１７は、それぞれの中心でフィードスルー（貫通接続）１９によって接続されており、
　各層６７回転、０．０７５インチのピッチをもつ導体の２層からなる、各５インチの半径で構成されている、
　スパイラル磁気トランスミッター。」 
（３）対比 
　本件補正発明と引用発明とを対比する。 
ア　引用発明の「患者１８」、「テーブル２６」、「平面状センサアレイ６０」及び「平面状センサコイル６２」は、それぞれ、本件補正発明の「身体」、「テーブル」、「磁場発生器アセンブリ」及び「細長い導電性要素」に相当する。
イ　上記アを踏まえると、引用発明の「患者１８を支持するテーブル２６上に配置された」、「平面状電磁トランスミッターコイルアレイであ」る「平面状センサアレイ６０」は、本件補正発明の「身体を支持するテーブルに装着できるように構成された磁場発生器アセンブリ」に相当する。
ウ　上記アを踏まえると、「１つの基板６４の第１層７４」又は「１つの基板６４の第２層７６」は、それぞれ、「１つの基板６４」の異なる位置での平面の層であるから、引用発明の「１つの基板６４の第１層７４」又は「１つの基板６４の第２層７６の中に配置され」る「複数の平面状センサコイル６２」は、本件補正発明の「平面内に配置された複数の細長い導電性要素」に相当する。
　また、引用発明の、各「平面状センサコイル６２」が、「スパイラルコイル６２」であり、「間にスペース６８をもつ」「導体トレース６６を形成する」ことは、本件補正発明の「各導電性要素が、前記」「平面に対して垂直に延在する中心軸の周りに、前記中心軸から前記導電性要素の外周まで連続して増加する距離で巻かれている」ことに相当する。
　よって、引用発明の「１つの基板６４の第１層７４」又は「１つの基板６４の第２層７６の中に配置され」る「複数の平面状センサコイル６２」であって、各「平面状センサコイル６２」が、「スパイラルコイル６２」であり、「間にスペース６８をもつ」「導体トレース６６を形成する」、「複数の平面状センサコイル６２」と、本件補正発明の「第１の平面内に配置された複数の細長い導電性要素であって、各導電性要素が、前記第１の平面に対して垂直に延在する中心軸の周りに、前記中心軸から前記導電性要素の外周まで連続して増加する距離で巻かれている、複数の細長い導電性要素」とは、「平面内に配置された複数の細長い導電性要素であって、各導電性要素が、前記平面に対して垂直に延在する中心軸の周りに、前記中心軸から前記導電性要素の外周まで連続して増加する距離で巻かれている、複数の細長い導電性要素」である点で共通する。
エ　上記アを踏まえると、引用発明の「複数の平面状センサコイル６２」が「平面状センサアレイ６０」の「２つの層７０、７２を」「形成」することと、本件補正発明の「前記複数の導電性要素が前記アセンブリの第１の層を形成」することとは、「前記複数の導電性要素が前記アセンブリの層を形成」する点で共通する。
オ　上記ウ及びエを踏まえると、引用発明の「複数の平面状センサコイル６２の第１層７０は、１つの基板６４の第１層７４の中に配置され、複数の平面状センサコイル６２の第２層７２は、１つの基板６４の第２層７６の中に配置され」ることと、本件補正発明の「前記第１の層が前記第１の平面内に存在」することとは、「前記層が前記平面内に存在」する点で共通する。
　以上のことから、本件補正発明と引用発明とは、次の点で一致し、次の点で相違する。
（一致点）
「身体を支持するテーブルに装着できるように構成された磁場発生器アセンブリであって、
　平面内に配置された複数の細長い導電性要素であって、各導電性要素が、前記平面に対して垂直に延在する中心軸の周りに、前記中心軸から前記導電性要素の外周まで連続して増加する距離で巻かれている、複数の細長い導電性要素
を備え、
　前記複数の導電性要素が前記アセンブリの層を形成し、
　前記層が前記平面内に存在する、
アセンブリ。」 
（相違点）
　本件補正発明では、細長い導電性要素が「第１の」平面内に配置され、前記複数の導電性要素が前記アセンブリの「第１の」層を形成し、前記「第１の」層が前記「第１の」平面内に存在し、
　「前記複数の導電性要素は、さらに、前記アセンブリの第２の層を備え、前記第２の層は、第２の平面内に存在し、前記第１の層は、前記第２の層の上に積層されており、
　前記複数の導電性要素のそれぞれが備える前記第１の層及び前記第２の層は、単一の導電線が巻かれて前記第１の層が前記第２の層の上に積層されるように形成されている」のに対し、引用発明では、このような構成を備えていない点。
（４）判断 
　上記相違点について検討する。 
ア　本件補正発明の「第１の層」と「第２の層」との関係について、本願明細書には、次の記載がある。
「【図面の簡単な説明】
　・・・
　【００１２】
　　【図４】
多層磁場トランスミッタ
　・・・
【発明を実施するための形態】
　・・・
　【００２８】
　図４は、
コイルが２つの別々の層を有する、
各層は、別々の平面内に存在する。
順に重ねて「積層」される
単一の「線（ｔｈｒｅａｄ）」が、端部５８Ａから開始して、第１の層を形成し、次いで、中心で第２の層を開始し、第１の層の経路を辿り直して、最後に端部５８Ｂで終了する。
　また、図４には、以下の図面が示されている。
　上記本願明細書及び図４によれば、多層磁場トランスミッタにおいて、スパイラルコイルが２つの別々の層を有し、各層は、別々の平面内に存在し、順に重ねて積層され、単一の導電線が、第１の層及び第２の層を形成すること、すなわち、スパイラルコイルを単一の導電線からなる２層にすることが開示されているが、「各層は、別々の平面内に存在し、順に重ねて積層され」るための、多層磁場トランスミッタの当該スパイラルコイルコイルに対する具体的な構造については何ら開示されていない。
イ　また、引用文献２の技術的事項（上記（２）イ（イ）を参照。）によれば、「スパイラル磁気トランスミッター」において、「スパイラル形状１５及び１７」を「フィードスルー（貫通接続）１９によって接続」し「２層」にすることが開示されているから、上記アを踏まえ本件補正発明の記載の仕方に倣うと、引用文献２の「スパイラル磁気トランスミッター」は、「スパイラル形状１５」が有する「スパイラル磁気トランスミッター」の第１の「層」を形成し、前記第１の「層」は第１の平面内に存在し、「スパイラル形状１７」が有する「スパイラル磁気トランスミッター」の第２の「層」を形成し、前記第２の「層」は第２の平面内に存在し、第１の「層」は前記第２の「層」の上に積層されており、
　前記「スパイラル形状１５及び１７」が備える前記第１の「層」及び前記第２の「層」は、「フィードスルー（貫通接続）１９によって接続され」、前記第１の「層」が前記第２の「層」の上に積層されるように形成されているといえる。
ウ　そして、上記イに係る引用文献２の技術的事項において、「前記「スパイラル形状１５及び１７」が備える前記第１の「層」及び前記第２の「層」は、「フィードスルー（貫通接続）１９によって接続され」」ることは、「スパイラル形状１５及び１７」が１本の導電性の線を形成しているといえることから、上記相違点に係る本件補正発明の「導電性要素のそれぞれが備える前記第１の層及び前記第２の層は、単一の導電線が巻かれて」いることに相当するところ、両者は、細長い導電性要素が「第１の」平面内に配置され、前記導電性要素が前記アセンブリの「第１の」層を形成し、前記「第１の」層が前記「第１の」平面内に存在し、
　「前記」「導電性要素は、さらに、前記アセンブリの第２の層を備え、前記第２の層は、第２の平面内に存在し、前記第１の層は、前記第２の層の上に積層されており、
　前記」「導電性要素のそれぞれが備える前記第１の層及び前記第２の層は、単一の導電線が巻かれて前記第１の層が前記第２の層の上に積層されるように形成されている」点で一致する。
エ　また、引用文献１には、各「平面状センサコイル６２」を流れる電流がつくる磁界の強さを、具体的にどのように調整するかの設計が記載されておらず、引用発明を実際に製造する際の上記設計上の課題が内在しているといえる。
オ　そうすると、「複数の平面状センサコイル６２」が「平面状センサアレイ６０」の「２つの層７０、７２を」「形成」する引用発明において、各「平面状センサコイル６２」に対して、上記課題のもと上記引用文献２の技術的事項を適用し、上記相違点に係る本件補正発明の「細長い導電性要素が「第１の」平面内に配置され、前記複数の導電性要素が前記アセンブリの「第１の」層を形成し、前記「第１の」層が前記「第１の」平面内に存在し、
　「前記複数の導電性要素は、さらに、前記アセンブリの第２の層を備え、前記第２の層は、第２の平面内に存在し、前記第１の層は、前記第２の層の上に積層されており、
　前記複数の導電性要素のそれぞれが備える前記第１の層及び前記第２の層は、単一の導電線が巻かれて前記第１の層が前記第２の層の上に積層されるように形成されている」という構成にすることは、当業者が容易に想到し得ることである。
カ　そして、本件補正発明の奏する作用効果は、引用文献１及び２の記載から予測される範囲内のものにすぎない。 
キ　したがって、本件補正発明は、引用発明及び引用文献２の技術的事項に基づいて当業者が容易に発明をすることができたものであり、特許法第２９条第２項の規定により、特許出願の際独立して特許を受けることができないものである。
３　本件補正についてのむすび
　以上のとおり、本件補正発明は、特許出願の際独立して特許を受けることができないものであるから、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記補正の却下の結論のとおり決定する。
第３　本願発明について
１　本願発明
　平成３０年６月５日にされた手続補正は、上記のとおり却下されたので、本願の請求項１〜２０に係る発明は、平成２９年９月５日にされた手続補正により補正された特許請求の範囲の請求項１〜２０に記載された事項により特定されるものであるところ、その請求項１に係る発明（以下「本願発明」という。）は、上記第２［理由］１（２）に記載のとおりのものである。
２　原査定の拒絶の理由
　原査定の拒絶の理由の概要は、以下のとおりである。
  
（理由１）この出願の請求項１〜３、６〜２０に係る発明は、引用文献１（米国特許出願公開第２０１０／０３０５４２７号明細書）に記載された発明であるから、特許法第２９条第１項第３号に該当し、特許を受けることができない。
（理由２）この出願の請求項４〜１３に係る発明は、引用文献１及び引用文献２（米国特許出願公開第２００３／０２３３０４２号明細書）に記載された発明に基づいて、当業者が容易に発明をすることができたものであるから、特許法第２９条第２項の規定により特許を受けることができない。 
  
３　引用文献
　原査定の拒絶の理由で引用された引用文献１及びその記載事項は、上記第２の［理由］２（２）アに記載したとおりである。 
４　対比・判断
　本願発明と引用発明とを対比する。
（１）引用発明の「患者１８」、「テーブル２６」、「平面状センサアレイ６０」、「平面状センサコイル６２」、「１つの基板６４の第２層７６」、「複数の平面状センサコイル６２の第２層７２」、「１つの基板６４の第１層７４」及び「複数の平面状センサコイル６２の第１層７０」は、それぞれ、本願発明の「身体」、「テーブル」、「磁場発生器アセンブリ」、「細長い導電性要素」、「第１の平面」、「第１の層」、「第２の平面」及び「第２の層」に相当する。
（２）上記（１）を踏まえると、引用発明の「患者１８を支持するテーブル２６上に配置された」、「平面状電磁トランスミッターコイルアレイであ」る「平面状センサアレイ６０」は、本願発明の「身体を支持するテーブルに装着できるように構成された磁場発生器アセンブリ」に相当する。
（３）上記（１）を踏まえると、引用発明の「１つの基板６４の第２層７６の中に配置され」る「複数の平面状センサコイル６２」は、本願発明の「第１の平面内に配置された複数の細長い導電性要素」に相当する。
　また、引用発明の、各「平面状センサコイル６２」が、「スパイラルコイル６２」であり、「間にスペース６８をもつ」「導体トレース６６を形成する」ことは、本願発明の「各導電性要素が、」「平面に対して垂直に延在する中心軸の周りに、前記中心軸から前記導電性要素の外周まで連続して増加する距離で巻かれている」ことに相当する。
　よって、引用発明の「１つの基板６４の第２層７６の中に配置され」る「複数の平面状センサコイル６２」であって、各「平面状センサコイル６２」が、「スパイラルコイル６２」であり、「間にスペース６８をもつ」「導体トレース６６を形成する」、「複数の平面状センサコイル６２」は、本願発明の「第１の平面内に配置された複数の細長い導電性要素であって、各導電性要素が、前記第１の平面に対して垂直に延在する中心軸の周りに、前記中心軸から前記導電性要素の外周まで連続して増加する距離で巻かれている、複数の細長い導電性要素」に相当する。
（４）上記（１）を踏まえると、引用発明の「複数の平面状センサコイル６２」が「平面状センサアレイ６０」の「第２層７２」を「形成」することは、本願発明の「前記複数の導電性要素が前記アセンブリの第１の層を形成」することに相当する。
（５）上記（１）を踏まえると、引用発明の「複数の平面状センサコイル６２の第２層７２」が「１つの基板６４の第２層７６の中に配置され」ることは、本願発明の「前記第１の層が前記第１の平面内に存在」することに相当する。
（６）上記（１）を踏まえると、引用発明の「複数の平面状センサコイル６２」が「平面状センサアレイ６０」の「第１層７０」を「形成」することは、本願発明の「前記複数の導電性要素は、さらに、前記アセンブリの第２の層を備え」ることに相当する。
（７）上記（１）を踏まえると、引用発明の「複数の平面状センサコイル６２の第１層７０」が「１つの基板６４の第１層７４の中に配置され」ることは、本願発明の「前記第２の層は、第２の平面内に存在」することに相当する。
（８）引用発明の「複数の平面状センサコイル６２の第２層７２は、複数の平面状センサコイル６２の第１層７０の上に配置されて」いることは、本願発明の「前記第１の層は、前記第２の層の上に積層されている」ことに相当する。
　以上のことから、本願発明と引用発明とに相違するところはなく、両者は同一であるから、本願発明は、引用文献１に記載された発明である。
第４　むすび
　以上のとおり、本願発明は、特許法第２９第１項第３号の規定に該当し、特許を受けることができないから、他の請求項に係る発明について検討するまでもなく、本願は拒絶されるべきものである。 
　よって、結論のとおり審決する。